(57)【特許請求の範囲】
【請求項１】
光ディスクに記録された、選択的に再生可能な１つ、又は複数のシーンを持つ複数のチャプタからなる映像データをアドレス情報と共に読取る光センサと、前記光センサで読取った映像データを表示可能に処理する信号処理手段と、前記映像と前記複数のシーンの有無を表示する映像表示手段と、外部から入力されたチャプタ又はシーンの選択情報に基づいて、該当するアドレスの映像データを読み出し再生する映像読み出し制御手段とを備えた光ディスク映像情報選択装置において、
前記映像読み出し制御手段は、再生中のチャプタに複数のシーンの映像が有るときであって、前記数字キーが押下された押下時間が所定の時間より短いときに、該押下された数字キーの番号に対応するシーンを選択し、前記数字キーが押下された押下時間が所定の時間より長いときに、該押下された数字キーの番号に対応するチャプタをダイレクトサーチし、一方、再生中のチャプタに複数のシーンの映像が無いときは、該押下された数字キーの番号に対応するチャプタをダイレクトサーチすることを特徴とする光ディスク映像情報選択装置。
【請求項２】
前記光ディスクが、ディジタルビデオディスクであり、前記複数のシーンの映像は、カメラアングルが異なるものであることを特徴とする請求項１に記載の光ディスク映像情報選択装置。
【発明の詳細な説明】
【０００１】
【発明の属する技術分野】
本発明は、光ディスクから所望の映像を読み出す光ディスク映像情報選択装置に係わり、特に、所望の映像を効率的に取得するための選択装置に関するものである。
【０００２】
【従来の技術】
従来から、光ディスク再生装置として、光ディスクに記録済のプログラム情報に時系列の映像であって、同時進行する複数のシーン（マルチシーン）が含まれており、ユーザによって任意にシーンを切り換え選択することができる再生装置が知られている（例えば、特開平１０−３４０５７０号公報参照）。
【０００３】
また、選択的に再生可能な複数のシーンを持つマルチシーン系列を含む映像プログラムにおいて、映像再生中に、ユーザによりシーン切り換えの指示がなされた場合でも、即座に選択されたシーンを再生することができるディスクの情報記録方法及び再生装置が知られている（特開平１０−３２２６５４号公報参照）。
【０００４】
ところで、これらのマルチシーン再生装置においては、マルチシーンの映像の中から、所望の映像を取得するためには、まず数字キーで所定の映像シーン（時系列のシーンを、以下、チャプタという）を選択した後、その映像が表示された画面から、複数の選択可能なシーン（以下、マルチアングルという）の有無の表示、又は、そのリストの表示を参照して、方向キーや選択確定キー等を操作して所望のアングルの映像の選択を行っていた。
【０００５】
【発明が解決しようとする課題】
しかしながら、上記の映像選択方法によれば、チャプタ切り換え用の数字キーと、アングル切り換え用の方向キー及び選択確定キーが必要であり、マルチアングル機能の選択操作が煩雑となっていた。
【０００６】
本発明は、このような問題点を解決するためになされたもので、数字キーの操作だけで所望の映像シーン（チャプタ）の選択と、複数シーン（マルチアングル）の選択が可能となり、操作の容易な光ディスク映像情報選択装置を提供することを目的とする。
【０００７】
【課題を解決するための手段】
上記目的を達成するために、請求項１に記載の発明は、光ディスクに記録された、選択的に再生可能な１つ、又は複数のシーンを持つ複数のチャプタからなる映像データをアドレス情報と共に読取る光センサと、前記光センサで読取った映像データを表示可能に処理する信号処理手段と、前記映像と前記複数のシーンの有無を表示する映像表示手段と、外部から入力されたチャプタ又はシーンの選択情報に基づいて、該当するアドレスの映像データを読み出し再生する映像読み出し制御手段とを備えた光ディスク映像情報選択装置において、前記映像読み出し制御手段は、再生中のチャプタに複数のシーンの映像が有るときであって、前記数字キーが押下された押下時間が所定の時間より短いときに、該押下された数字キーの番号に対応するシーンを選択し、前記数字キーが押下された押下時間が所定の時間より長いときに、該押下された数字キーの番号に対応するチャプタをダイレクトサーチし、一方、再生中のチャプタに複数のシーンの映像が無いときは、該押下された数字キーの番号に対応するチャプタをダイレクトサーチするものである。
【００１０】
上記構成においては、チャプタに複数のシーンの映像が有るときは、数字キーの押下時間が長いときは、その数字キーの番号のチャプタが選択され、押下時間が短いときは、その数字キーの番号のシーンが選択される。一方、チャプタに複数のシーンが無いときは、数字キーの番号のチャプタが直接選択される。
【００１１】
また、請求項２に記載の発明は、請求項１に記載の装置において、光ディスクが、ディジタルビデオディスクであり、複数のシーンの映像は、カメラアングルが異なるものである。
【００１２】
上記構成においては、ディジタルビデオディスクに記録された複数のチャプタからなる映像及び各チャプタ内での異なるカメラアングルの映像シーンを簡単な操作で選択することができる。
【００１３】
【発明の実施の形態】
以下、本発明の一実施形態について図面を参照して説明する。図１は、本発明の光ディスク映像情報選択装置を備えた光ディスク装置の構成図である。図２は、光ディスクの一つであるディジタルビデオディスク（以下、ＤＶＤという）１０に記録される映像データの配置図であって、所定の映像データの記録領域Ｒｐと、そのアドレス情報が記録されるアドレス領域Ｒｐの配置を示す。映像データの記録領域Ｒｐに記録されている映像データは、データ圧縮処理により高密度記録されてもよい。
【００１４】
図３は、ＤＶＤ１０に記録された映像データの構造を示す図である。映像データ３２は、内容の異なる複数のチャプタ３０（各々がＣＨ１，ＣＨ２，・・，ＣＨＮ）で区分されたデータ＃０，＃１，…，＃Ｎにより構成されており、それらチャプタ３０のうちのいくつかは、選択的に切り換え可能な、複数のシーン３１（それぞれがＭＳ１〜ＭＳ３等）のデータ＃２１，＃２２，＃２３を有している。図４は、選択的に切り換え可能な、複数シーン３１（例えば、ＣＨ３、ＭＳ１〜ＭＳ３）の一例を示すもので、例えば、スポーツ映像に用いられる複数のカメラアングルからの映像である（マルチアングルと記す）。その他、選択可能な複数のシーンとしては、選択可能な複数の商品の映像や、多数の風景画などで構成される。また、各チャネル３０及び各チャネル３０を構成するシーン３１は、画像データ又は音声データの映像データであり、再生時の映像と音声は、後述の映像信号処理部２０により対応付けられる。
【００１５】
以下、図１を参照して光ディスク映像情報選択部を備えた光ディスク装置の構成を説明する。ＤＶＤ１０は、選択的に再生可能な１つ、又は複数のシーン３１を持つ複数のチャプタ３０からなる映像データ３２がアドレス情報とともに記録されている。このＤＶＤ１０は、光ディスク駆動部１１に入力された外部信号に基づきモータ１２により回転駆動される。
【００１６】
また、ＤＶＤ１０に記録された映像データ３２の読み出しのため、レンズ１６でＤＶＤ１０上に照射された光の反射光を受光する光センサ１５が設けられている。ここで光センサ１５とは、レーザダイオード等の発光素子とフォトダイオード等の受光素子の組み合わせによる素子を総称する。光センサ１５を搭戴した移動台１４は、ＤＶＤ１０の所定のアドレスの映像データが記録された位置に光センサ１５を移動させるもので、映像読み出し制御部１８の信号に基づき光センサ駆動部１３により駆動される。
【００１７】
光ディスク映像情報選択部１９は、数字キー１７と映像読み出し制御部１８により構成される。数字キー１７は、所望のチャプタ３０、或いは、シーン３１の番号を入力する選択キーである。映像読み出し制御部１８は、数字キー１７が押下されたとき、現在再生中のチャプタにマルチシーンがあれば、その押下時間を検出して、その押下時間に基づき、チャプタ３０が選択されたのか、シーン３１が選択されたのかを判別して、数字キー１７からの選択要求に該当する該当番号のチャプタ３０、又は、該当番号のシーン３１の選択を指示する信号を光センサ駆動部１３に出力する。また、映像読み出し制御部１８は、映像信号処理部２０にチャプタ３０或いはシーン３１が選択されたのかを伝達する。
【００１８】
映像信号処理部２０は、光センサ１５で検出されたデータ圧縮された画像や音声データの伸長処理や、所定の画像と音声との対応付け等の処理をして、映像表示部２１に出力する。映像表示部２１では、選択された映像の表示を行うと共に、選択されたチャプタ３０の選択可能な複数のシーン３１の有無、或いはそのリストを表示する。
【００１９】
図５は、上記光ディスク映像情報選択部１９の動作を説明するフローチャートである。光ディスク映像情報選択部１９は、現在再生中のチャプタにマルチシーンがあれば、数字キー１７の押下時間が所定の時間より長いか短いかに基づき、チャプタ、又は、シーンの選択を自動的に切り換えるものである。ここで、所定の時間とは、チャプタの選択したときの数字キー１７の押下時間が規準とされ、装置の論理回路により、所定の時間、例えば、５０ｍｓｅｃ等、と設定される。いま、図３に示した映像データ３２の構造における、例えば、第２番目のチャプタ（ＣＨ２）を選択するものとする。図５において、数字キー１７からチャプタＣＨ２の番号「２」を押下する（ステップＳ１、以下ステップの記載省略）と、このチャプタ（ＣＨ２）には選択可能な複数のシーン（マルチシーンと記す）３１が無いので（Ｓ２でＮＯ）、押下された数字「２」番目のチャプタ（ＣＨ２）が直接選択される（Ｓ５）。
【００２０】
また、例えば、第３番目のチャプタＣＨ３を再生中において、例えば、チャプタＣＨ３のマルチシーンの第２番目のシーンＭＳ２を選択するものとする。図５において、数字キー１７から第２番目のシーンＭＳ２の番号「２」が押下されると（Ｓ１）、チャプタＣＨ３にマルチシーンの情報があるので（Ｓ２でＹＥＳ）、処理はＳ３に進み、数字キー１７の押下時間が所定時間より短ければ（Ｓ３でＹＥＳ）、押下された数字のシーン（ＣＨ３のＭＳ２）に切り換えられる（Ｓ４）。
【００２１】
また、上記Ｓ３で、数字キー１７の押下時間が所定の時間より長ければ（Ｓ３でＮＯ）、押下された数字のチャプタＣＨ２が直接選択される（Ｓ５）。
【００２２】
以上のように得られたチャネル３０又はシーン３１に該当する番号を光センサ駆動部１３に出力することにより、所望の映像を得ることができる。即ち、数字キー１７の操作のみで、所望の映像を選択することができる。
【００２３】
なお、本発明は、上記実施の形態の構成に限られず種々の変形が可能である。例えば、上記実施の形態においては、記録媒体をＤＶＤ１０として説明したが、ＤＶＤ１０が、コンパクトディスク（ＣＤ）であってもよい。
【００２４】
【発明の効果】
以上のように請求項１に記載の発明によれば、映像読み出し制御手段は、再生中のチャプタに複数のシーンの映像が有れば、数字キーの押下時間が所定の時間より短いときは、数字キーの番号のシーンを選択し、押下時間が所定の時間より長いときは、数字キーの番号のチャプタを選択し、一方、チャプタに複数のシーンが無いときには、数字キーの番号のチャプタを選択するので、数字キーの操作だけで所望の映像シーン（チャプタ）の選択と、複数シーン（マルチアングル）の選択をすることができる。
【００２６】
請求項２に記載の発明によれば、光ディスクが、ディジタルビデオディスクであり、複数のシーンの映像は、カメラアングルが異なるものとしたので、ディジタルビデオディスクからのチャプタの選択、或いは、カメラアングルの異なる映像の一つの選択を数字キーの操作だけで自動的に切り換えることができる。
【図面の簡単な説明】
【図１】本発明の一実施形態による光ディスク映像情報選択装置を備えた光ディスク装置の構成図。
【図２】光ディスクに記録される映像データの配置図。
【図３】光ディスクに記録された映像データの構造を示す図。
【図４】複数のカメラアングルからの映像の例を示す図。
【図５】光ディスク映像情報選択部の動作を説明するフローチャート。
【符号の説明】
１０  ディジタルビデオディスク
１１  光ディスク駆動部
１３  光センサ駆動部
１５  光センサ
１７  数字キー
１８  映像読み出し制御部
１９  光ディスク映像情報選択部
２０  映像信号処理部
２１  映像表示部
３０  チャプタ
３１  シーン
３２  映像データ
【図１】
0003562446.tif 000002
【図２】
0003562446.tif 000003
【図３】
0003562446.tif 000004
【図４】
0003562446.tif 000005
【図５】
0003562446.tif 000006